(57)【要約】【課題】コストを低減することができると共に、製本作業を簡素化することができ、さらには、熟練を要さずとも簡単容易に製本することができるホローバック本を提供することを目的としている。【解決手段】少なくとも複数の紙葉２０にて構成された中身２と、前記中身２を包む表紙３と、前記中身２の背部２ａ及び側部に設けられる接着層（２２ａ，２２ｂ）と、前記表紙３と前記中身２を対向配置させた際、前記接着層２２ａが設けられた当該中身２の背部２ａに対向する当該表紙３位置に設けられる当該接着層２２ａと接着しない非接着層３０とを有し、前記表紙３は、前記中身２の側部に設けられた接着層２２ｂによって当該中身２と接着してなることを特徴としている。【選択図】図１
2014148093.tif 000002
【特許請求の範囲】
【請求項１】
少なくとも複数の紙葉にて構成された中身を包むと共に、該中身の背部に設けられた接着層と接着しない非接着層を設けてなることを特徴とするホローバック本用表紙。
【請求項２】
前記請求項１に記載のホローバック本用表紙と前記中身を対向配置させた際、前記接着層が設けられた当該中身の背部に対向する当該表紙位置に前記非接着層が設けられ、
前記表紙は、前記中身の側部にさらに設けられた接着層によって当該中身と接着してなることを特徴とするホローバック本。
【請求項３】
少なくとも複数の紙葉にて構成された中身の背部に設けられた接着層と接着しない非接着層を設ける工程を含んでなることを特徴とするホローバック本用表紙の製造方法。
【請求項４】
前記請求項３に記載のホローバック本用表紙の製造方法にて製造された表紙と前記中身を対向配置させた際、前記接着層が設けられた当該中身の背部に対向する当該表紙位置に前記非接着層を設ける工程と、
前記中身の側部にさらに設けられた接着層に前記表紙を接着する工程とを含んでなることを特徴とするホローバック本の製造方法。
【請求項５】
少なくとも複数の紙葉にて構成された中身と、
前記中身を包む表紙と、
前記中身の背部及び側部に設けられる接着層と、
前記接着層に設けられる非接着層とを有し、
前記表紙は、前記中身の側部に設けられた接着層によって当該中身と接着してなることを特徴とするホローバック本。
【発明の詳細な説明】
【技術分野】
【０００１】
本発明は、コストを低減することができると共に、製本作業を簡素化することができ、さらには、熟練を要さずとも簡単容易に製本することができるホローバック本用表紙及びその表紙を用いたホローバック本並びにその製造方法に関する。
【背景技術】
【０００２】
本を開いた際、表紙と中身の背部とが離れて空洞ができるようにすることで、各頁を自由に開けることができ、さらには、広開度が大きい状態で、その状態を維持することができる本としてホローバック本というものが一般的に知られている。そして、このようなホローバック本として、例えば、特許文献１に示すものが知られている。このホローバック本は、複数の紙葉が背部において一体に接着されて構成された中身と、当該中身を包む表紙と、前記中身の前記背部を前記表紙における対応部位に接着させる筒状の背紙とを備え、前記背紙は、偏平状態における幅が前記背部の幅と同等に設定されると共に、前記表紙に対向する一方の片側が当該表紙に接着され、前記背部に対向する他方の片側が当該背部に接着されているというものである。
【先行技術文献】
【特許文献】
【０００３】
【特許文献１】特許第４１４６８４４号
【発明の概要】
【発明が解決しようとする課題】
【０００４】
しかしながら、上記のようなホローバック本は、上記構成を備えることにより、中身の背部に接着された部位での背紙のしわ・破れを防止することができるものの、筒状の背紙を製造するための専用の装置を設置しなければならず、コストが非常に高くなるばかりか、製本作業が複雑化するという問題があった。またさらには、従来のホローバック本は、製本する際、空洞を設けなければならないため、筒状の背紙が必ず必要であり、それがために、当該背紙の破れを防止しつつ、中身の背部と表紙との接着を確実に行わなければならなければならず、強度や接着量等を習熟するのに時間と労力を要するという問題があった。
【０００５】
そこで、本発明は、上記問題に鑑み、コストを低減することができると共に、製本作業を簡素化することができ、さらには、熟練を要さずとも簡単容易に製本することができるホローバック本用表紙及びその表紙を用いたホローバック本並びにその製造方法を提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１のホローバック本用表紙の発明によれば、少なくとも複数の紙葉（２０）にて構成された中身（２）を包むと共に、該中身（２）の背部（２ａ）に設けられた接着層（２２ａ）と接着しない非接着層（３０）を設けてなることを特徴としている。
【０００８】
請求項２のホローバック本の発明によれば、前記請求項１に記載のホローバック本用表紙（３）と前記中身（２）を対向配置させた際、前記接着層（２２ａ）が設けられた当該中身（２）の背部（２ａ）に対向する当該表紙（３）位置に前記非接着層（３０）が設けられ、前記表紙（３）は、前記中身（２）の側部（２ｂ）にさらに設けられた接着層（２２ｂ）によって当該中身（２）と接着してなることを特徴としている。
【０００９】
一方、請求項３のホローバック本用表紙の製造方法の発明によれば、少なくとも複数の紙葉（２０）にて構成された中身（２）の背部（２ａ）に設けられた接着層（２２ａ）と接着しない非接着層（３０）を設ける工程を含んでなることを特徴としている。
【００１０】
また、請求項４のホローバック本の製造方法の発明によれば、前記請求項３に記載のホローバック本用表紙の製造方法にて製造された表紙（３）と前記中身（２）を対向配置させた際、前記接着層（２２ａ）が設けられた当該中身（２）の背部（２ａ）に対向する当該表紙（３）位置に前記非接着層（３０）を設ける工程と、前記中身（２）の側部（２ｂ）にさらに設けられた接着層（２２ｂ）に前記表紙（３）を接着する工程とを含んでなることを特徴としている。
【００１１】
他方、請求項５のホローバック本の発明によれば、少なくとも複数の紙葉（２０）にて構成された中身（２）と、前記中身（２）を包む表紙（３）と、前記中身（２）の背部（２ａ）及び側部（２ｂ）に設けられる接着層（２２ａ，２２ｂ）と、前記接着層（２２ａ）に設けられる非接着層とを有し、前記表紙（３）は、前記中身（２）の側部（２ｂ）に設けられた接着層（２２ｂ）によって当該中身（２）と接着してなることを特徴としている。
【発明の効果】
【００１２】
次に、本発明の効果について、図面の参照符号を付して説明する。なお、括弧内は、後述する実施形態の参照符号を付したものであるが、本発明はこれに限定されるものではない。
【００１３】
請求項１及び２に係る発明によれば、中身（２）の背部（２ａ）及び側部（２ｂ）に接着層（２２ａ，２２ｂ）を設け、表紙（３）と中身（２）を対向配置させた際、当該接着層（２２ａ）が設けられた当該中身（２）の背部（２ａ）に対向する当該表紙（３）位置に当該接着層（２２ａ）と接着しない非接着層（３０）を設けている。これにより、非接着層（３０）によって、中身（２）の背部（２ａ）と表紙（３）とは接着せず、表紙（３）と中身（２）の接着は、側部（２ｂ）に設けられた接着層（２２ｂ）によってされることとなるから、表紙（３）と中身（２）の背部（２ａ）との間に空隙（Ｓ）が形成（図１参照）されることとなる。
【００１４】
それゆえ、本発明によれば、従来のような筒状の背紙を設けずとも、表紙（３）に非接着層（３０）を設けるだけで、ホローバック本を製本することができる。そのため、コストを低減することができると共に、製本作業を簡素化することができ、さらには、熟練を要さずとも簡単容易に製本することができる。
【００１５】
一方、請求項３及び４に係る発明は、上記請求項１に記載のホローバック本用表紙及び上記請求項２に記載のホローバック本を製造するため製造方法であるため、上記請求項１及び２に記載の効果と同一の効果を奏する。
【００１６】
他方、請求項５に係る発明と上記請求項２に係る発明との相違は、非接着層を表紙（３）に設けず、中身（２）の背部（２ａ）に設けただけの相違であるため、上記請求項２に記載の効果と同一の効果を奏する。
【図面の簡単な説明】
【００１７】
【図１】本発明の一実施形態に係るホローバック本を開いた状態を上面側から見た平面図である。
【図２】（ａ）は、同実施形態に係るホローバック本の中身を上面側から見た平面図、（ｂ）は、同中身の背部及び側部に接着層を設けた中身を上面側から見た平面図である。
【図３】同実施形態に係るホローバック本の表紙を示す斜視図である。
【図４】同実施形態に係るホローバック本の表紙と中身を接着する工程を示し、（ａ）は、図２（ｂ）に示す中身を表紙に載置する工程を上面側から見た平面図、（ｂ）は、中身の側部に表紙を接着する工程を上面側から見た平面図である。
【発明を実施するための形態】
【００１８】
以下、本発明に係るホローバック本及びその製本方法の一実施形態を、図１〜図４を参照して具体的に説明する。
【００１９】
図１に示すように、ホローバック本１は、中身２と、その中身２を包む表紙３とを備えた並製本として構成されている。この中身２は、図２（ａ）に示すように、複数の紙葉２０及びこれら紙葉２０を挟んで配設された１対の見返し２１とで構成されている。そして、このように構成される中身２の背部２ａには、図２（ｂ）に示すように、当該中身２の長手方向に沿って、柔軟性・強度に優れたＰＵＲ（Ｐｏｌｙ  Ｕｒｅｔｈａｎｅ  Ｒｅａｃｔｉｖｅ）接着剤を塗布することによって厚さ０．２〜０．５ｍｍ程度の接着層２２ａが設けられている。これにより、複数の紙葉２０及び１対の見返し２１が一体に接着されることとなる。そしてさらに、中身２の両側部２ｂの一部分（背部２ａを基点として鉛直上向きに約５ｍｍ程度の高さ部分）周面にも、図２（ｂ）に示すように、上記接着層２２ａと同一のＰＵＲ接着剤を使用することによって厚さ０．２〜０．５ｍｍ程度の接着層２２ｂが設けられている。これにより、図１に示すように、中身２と上記表紙３とが接着することとなる。なお、本実施形態においては、接着層２２ａ，２２ｂを設けるにあたって、ＰＵＲ接着剤を用いる例を示したが、これに限らず、ＥＶＡ（Ｅｔｈｙｌｅｎｅ  Ｖｉｎｙｌ  Ａｃｅｔａｔｅ）系ホットメルト，ニカワ，ボンド，セメダイン（登録商標）等の接着剤を用いても良い。しかしながら、柔軟性・強度に優れたＰＵＲ接着剤を用いた方が好ましい。
【００２０】
表紙３は、図３に示すように、矩形状に形成され、特殊紙などの並製本用の紙を用いて形成されている。そして、この表紙３の裏表紙３ａには、略中央位置に、当該裏表紙３ａの幅方向（短手方向）に沿って、両面テープの剥離紙を剥がさない状態で、当該両面テープの粘着層が貼着されて非接着層３０が設けられている。この非接着層３０の基材（剥離紙）３０ａは、シリコーン樹脂で形成されており、上記接着層２２ａが設けられた中身２の背部２ａ（図２（ｂ）参照）と、裏表紙３ａとが接着しないようになっている。そのため、図４に示すように、この非接着層３０の幅Ｔ１は、上記接着層２２ａが設けられた中身２の背部２ａの幅Ｔ２と同程度となるように設定されている。そして、当該非接着層３０は、表紙３と中身２を図４に示すように対向配置させた際、当該中身２の背部２ａに対向する表紙３位置（本実施形態においては、裏表紙３ａの略中央位置）に配置されるよう当該表紙３の裏表紙３ａに設けられている。なお、本実施形態においては、非接着層３０として、両面テープを用いる例を示したが、これに限らず、上記接着層２２ａと接着しない素材であればどのようなものを用いても良い。例えば、基材がシリコーン樹脂で形成されるシリコーンテープ、又は、基材がフッ素樹脂で形成されるフッ素テープ、あるいは、シリコーン樹脂又はフッ素樹脂を混練した液体を塗布又は付着させても良い。しかしながら、両面テープやシリコーンテープ、又は、フッ素テープ等のテープを用いた方が好ましい。裏表紙３ａにムラなく平坦に非接着層３０を設けることができ、さらには、簡易な方法で安価に設けることができ、そして、幅を１ｍｍ単位で調整することができるため、様々なサイズのホローバック本に対応することができるためである。
【００２１】
一方、この表紙３の裏表紙３ａ及び表表紙３ｂには、図３に示すように、当該裏表紙３ａに設けられた非接着層３０の両側面から長手方向に間隔Ｔ３を置いた位置に、当該裏表紙３ａ及び表表紙３ｂの幅方向（短手方向）に沿って１対の折線３ｃが形成されている。この折線３ｃから非接着層３０の側面までの間隔Ｔ３は、中身２の側部２ｂの一部分（背部２ａを基点として鉛直上向きに約５ｍｍ程度の高さ部分）と同程度に設定されており、この間隔Ｔ３部分に接着層２２ｂが設けられた中身２の側部２ｂが接着されることとなる。これにより、当該表紙３にて中身２を包むことができる。このように、表紙３の裏表紙３ａ及び表表紙３ｂに１対の折線３ｃを形成し、その折線３ｃから非接着層３０の側面までの間隔Ｔ３部分に、接着層２２ｂが設けられた中身２の側部２ｂを接着するようにすれば、図１に示すように、１対の見返し２１と裏表紙３ａとが接着されることとなり表紙３と中身２との接着面が分かりにくくなる。それゆえ、本の体裁が良くなるという効果がある。
【００２２】
ここで、上記のように構成されるホローバック本１を製本する方法を、より具体的に説明する。図２（ａ）に示すように、複数の紙葉２０及びこれら紙葉２０を挟んで配設された１対の見返し２１とで構成される中身２は、図２（ｂ）に示すように、当該中身２の背部２ａに、当該中身２の長手方向に沿って、柔軟性・強度に優れたＰＵＲ接着剤が塗布され、厚さ０．２〜０．５ｍｍ程度の接着層２２ａが設けられる。これにより、複数の紙葉２０及び１対の見返し２１が一体に接着されることとなる。そしてさらに、図２（ｂ）に示すように、当該中身２の両側部２ｂの一部分（背部２ａを基点として鉛直上向きに約５ｍｍ程度の高さ部分）周面に、柔軟性・強度に優れたＰＵＲ接着剤が塗布され、厚さ０．２〜０．５ｍｍ程度の接着層２２ｂが設けられる。
【００２３】
一方、表紙３は、図３に示すように、裏表紙３ａの略中央位置に、当該裏表紙３ａの幅方向（短手方向）に沿って、両面テープが貼着され非接着層３０が設けられる。そしてさらに、非接着層３０の両側面から長手方向に間隔Ｔ３を置いた位置に、当該裏表紙３ａ及び表表紙３ｂの幅方向（短手方向）に沿って１対の折線３ｃが形成される。なお、裏表紙３ａに設けられた非接着層３０の幅Ｔ１は、上記接着層２２ａが設けられた中身２の背部２ａの幅Ｔ２（図４参照）と同程度となるように設定され、当該非接着層３０は、表紙３と中身２を図４に示すように対向配置させた際、当該中身２の背部２ａに対向する表紙３位置（本実施形態においては、裏表紙３ａの略中央位置）に配置されるよう当該表紙３の裏表紙３ａに設けられる。
【００２４】
かくして、このように構成される中身２と表紙３を接着するにあたっては、まず、図４（ａ）に示すように、中身２を表紙３の裏表紙３ａに向かって矢印Ｐ１方向に移動させる。これにより、図４（ｂ）に示すように、裏表紙３ａに設けられている非接着層３０の基材３０ａに、接着層２２ａが設けられた中身２の背部２ａが載置されることとなる。そしてこの状態で、図４（ｂ）に示すように、表紙３の裏表紙３ａを当該中身２の両側部２ｂに向かって矢印Ｐ２方向に移動させると、折線３ｃから非接着層３０の側面までの間隔Ｔ３の部分が、中身２の両側部２ｂに設けられた接着層２２ｂに接着されることとなる。これにより、図１に示すように、表紙３の裏表紙３ａと中身２とが接着され、当該中身２を表紙３によって包むことができる。そして、当該中身２の側部２ｂに設けられた接着層２２ａと、裏表紙３ａに設けられている非接着層３０とは接着しないため、図１に示すように、中身２を開いた際、当該中身２の背部２ａと、裏表紙３ａとが自然に離れ、当該背部２ａと裏表紙３ａとの間に空隙Ｓが形成されることとなる。これにより、各頁を自由に開けることができる広開度の大きいホローバック本１が製本されることとなる。
【００２５】
しかして、以上説明した本実施形態によれば、中身２の背部２ａに接着層２２ａを設け、さらに、側部２ｂに接着層２２ｂを設け、表紙３と中身２を対向配置（図４参照）させた際、当該接着層２２ａが設けられた当該中身２の背部２ａに対向する当該表紙３位置に当該接着層２２ａと接着しない非接着層３０を設けている。これにより、非接着層３０によって、中身２の背部２ａと表紙３とは接着せず、表紙３と中身２の接着は、側部２ｂに設けられた接着層２２ａによってされることとなるから、表紙３と中身２の背部２ａとの間に空隙Ｓが形成されることとなる。
【００２６】
それゆえ、本実施形態によれば、従来のような筒状の背紙を設けずとも、表紙３に非接着層３０を設けるだけで、ホローバック本１を製本することができる。そのため、コストを低減することができると共に、製本作業を簡素化することができ、さらには、熟練を要さずとも簡単容易に製本することができる。
【００２７】
なお、本実施形態においては、中身２を構成するにあたって、１対の見返し２１を配設する例を示したが、複数の紙葉２０だけで中身２を構成しても良い。また、中身２の側部２ｂの一部分周面に接着層２２ｂを設ける例を示したが、側部２ｂの全周面に接着層２２ｂを設けても良い。
【００２８】
一方、本実施形態においては、中身２の背部２ａに接着層２２ａを設け、表紙３と中身２を対向配置（図４参照）させた際、当該接着層２２ａが設けられた当該中身２の背部２ａに対向する当該表紙３位置に当該接着層２２ａと接着しない非接着層３０を設ける例を示したが、表紙３に非接着層３０を設けず、中身２の背部２ａに設けられた接着層２２ａに非接着層３０を設けても良い。このようにしても、上記説明した効果と同様の効果を奏することとなる。
【符号の説明】
【００２９】
１              ホローバック本
２              中身
２ａ          （中身の）背部
２ｂ          （中身の）側部
３              表紙
２２ａ，２２ｂ  接着層
３０            非接着層
Ｓ              空隙
【図１】
2014148093.tif 000003
【図２】
2014148093.tif 000004
【図３】
2014148093.tif 000005
【図４】
2014148093.tif 000006